(57)【要約】【課題】装飾性に優れ、インテリアとしての機能を十分に発揮することができる装飾用電気スタンドを提供することである。【解決手段】略錐状に形成された電気スタンド本体１０と、電気スタンド本体１０の底面１４の中央に設けられた電球１２と、から構成された装飾用電気スタンドであって、電気スタンド本体１０の周面部１６は、透光性素材から形成されており、電気スタンド本体１０の底部１４上面には、ホログラムシート１４ａが設けられ、これに前記電球１２から照射される光を遊色反射させて本体１０の周面部１６に遊色模様を投影させるとを特徴とする装飾用電気スタンドである。【選択図】    図１
2004179020.tif 000002
【特許請求の範囲】
【請求項１】
略錐状に形成された電気スタンド本体と、電気スタンド本体の中央に設けられた電球と、から構成された装飾用電気スタンドであって、電気スタンド本体の周面部は、透光性素材から形成されており、電気スタンド本体の底部上面には、ホログラムシートが設けられ、これに前記電球から照射される光を遊色反射させて本体の周面部に遊色模様を投影させることを特徴とする装飾用電気スタンド。
【請求項２】
前記電球は、その上方が非透光性素材で被膜されていることを特徴とする請求項１記載の装飾用電気スタンド。
【請求項３】
前記電球の前記非透光性素材で被膜された部分の内側は、電球の光を反射可能に施されていることを特徴とする請求項２記載の装飾用電気スタンド。
【発明の詳細な説明】
【０００１】
【発明の属する技術分野】
本発明は、インテリアとして十分に機能する装飾用の電気スタンドに関する。
【０００２】
【従来の技術】
従来から通常使用されている電気スタンドは、図４に示すように平坦状に形成された基台３０とこの基台３０の中央から垂直方向に突設された支持柱３２とから構成された電気スタンド本体３４と、電気スタンド本体３４の支持柱３２の上端に設けられた電球３６と、この電球３６を覆うように設けられ、支持柱３２によって支持された傘部３８と、を備えている。この技術は、一般的な公知技術であるので、記載すべき先行技術文献情報がない。
【０００３】
【発明が解決しようとする課題】
しかしながら、このように従来の電気スタンドは、装飾性に乏しく、インテリアとしての機能は十分でない。傘部に装飾性を持たせるなどで装飾性を向上させることは可能であるが、インテリアとしての機能を果たすには必ずしも十分でなかった。
そこで、本発明は、装飾性に優れ、インテリアとしての機能を十分に発揮することができる装飾用電気スタンドを提供することを目的とする。
【０００４】
【課題を解決するための手段】
以上の目的を達成するために、本発明は、略錐状に形成された電気スタンド本体と、電気スタンド本体の中央に設けられた電球と、から構成された装飾用電気スタンドであって、電気スタンド本体の周面部は、透光性素材から形成されており、電気スタンド本体の底部上面には、ホログラムシートが設けられ、これに前記電球から照射される光を遊色反射させて本体の周面部に遊色模様を投影させることを特徴とする装飾用電気スタンドである。
【０００５】
以上のように本発明に係る装飾用電気スタンドによれば、電気スタンド本体の底部上面に設けられたホログラムシートに照射される電球からの光が遊色反射され、透光性素材からなる電気スタンド本体の周面部に様々な角度から遊色模様が投影されるので、電気スタンド本体の周面部を様々な色の光で演出することができる。
本発明に係る装飾用電気スタンドにおいて、前記電球は、その上方が非透光性素材で被膜されていることが好ましい。このように、上方が非透光性素材で被膜された電球を使用することによって、電球から発する光を直接利用者の目に当てることを防ぎ、眩惑を感じさせることを防止できる。
【０００６】
また、本発明に係る装飾用電気スタンドにおいて、前記電球の前記非透光性素材で被膜された部分の内側は、電球の光を反射可能に施されていることが好ましく、このように構成することより、電球の下方に発する光量を増大することができ、電気スタンド本体底部のホログラムシートに照射する光の量を増やし、より鮮明に多くの色の光を演出することができる。
【０００７】
【発明の実施の形態】
次に、本発明に係る装飾用電気スタンドの実施例について図面に基づいて説明する。図１は、本実施例に係る装飾用電気スタンドの正面一部切欠図であり、図２は、本実施例に係る装飾用電気スタンドの平面図である。
本実施例に係る装飾用電気スタンドは、略円錐状に形成された電気スタンド本体１０と、電気スタンド本体１０の底面の中央に設けられた電球１２と、から構成されている。
【０００８】
電気スタンド本体１０は、主として平坦上に形成された底部１４と、略円錐状に形成された周面部１６と、から構成されている。電気スタンド本体１０の周面部１６は、透明素材から形成されており、図３に示す扇状の板材１８を略円錐状に丸めることによって形成されるよう構成されている。この扇状の板材１８の一の側辺１８ａには、その一の側辺１８ａに沿って複数の切欠き部２０が形成されており、他の側辺１８ｂには、これら複数の切欠き部２０それぞれに整合して係合可能であるとともに、その他の側辺１８ｂに沿って設けられ、Ｌ字状に形成された複数の突起部２２が形成されている。電気スタンド本体１０の周面部１６は、扇状の板材１８を略円錐状に丸めて、他の側辺１８ｂの突起部２２を一の側辺１８ａの切欠き部２０に係合することによって形成することができる。この電気スタンド本体１０の周面部１６の底縁１６ａには、内側に折り曲げられたコの字状の係合部材２４が周方向に等間隔を置いて３つ設けられている。
【０００９】
電気スタンド本体１０の底部１４の上面には、電球１２から照射される光を遊色反射可能なホログラム１４ａが貼り付けられている。また、底部１４の縁部１４ｂは、上方に丸みを帯びて突出する段状に形成されており、その縁部１４ｂの内周は、周面部１６の底面外周と同径に形成されている。また、底部１４の縁部１４ｂの内側であって、周面部１６の係合部材２４と整合する位置には、ねじ２６が、そのねじ頭２６Ａと底部１４の間に隙間を形成する状態で設けられており、周面部１６を周方向に回転させて周面部１６の係合部材２４をねじ２６のねじ頭２６Ａと底部１４の間に係合することによって周面部１６を底部１４に装着することができる。
電球１２は、反射膜の蒸着によってその頂点から電球の縦方向の中間の位置まで被膜されている。本実施例に係る装飾用電気スタンドにおいて、電球のフィラメントから発する光は、直接又は電球の上方の被膜部分の内側で反射し、底部１４のホログラム１４ａを照射する。
【００１０】
ホログラム１４ａに照射された光は遊色反射して、透明素材で形成されている略円錐状の周面部１６に様々な角度から照射するので、電気スタンド本体１０の周面部１６に様々な色の光を投影し、遊色模様で演出する。また、電球のフィラメントから発する光は、電球１２の上方が非透光性素材または反射膜で被膜されているので、電球の光が上方に発して利用者の目を直接照射し、眩惑を感じさせることはないと同時に、電気スタンド本体１０の周面部１６の遊色模様が鮮明に感受できるようになる。
【００１１】
上記実施例では、電気スタンド本体１０の周面部１６は透明素材を用いたものが示されているが、ホログラムの種類や投影効果等、装飾条件により部分的あるいは全体的に半透明としたり、薄色としたりすることは自由である。また、電球１２としては、スタンド本体１０の下部中央に立設するものに限らず、略錐状周面部１６の上方中央からホログラムシート１４ａ面に向けて照明する手段を用いても良い。
【００１２】
【発明の効果】
以上のように、本発明に係る装飾用電気スタンドによれば、装飾性に優れ、インテリアとしての機能を十分に発揮することができる装飾用電気スタンドを提供することができる。
【図面の簡単な説明】
【図１】本発明に係る装飾用電気スタンドの正面一部切欠図である。
【図２】本実施例に係る装飾用電気スタンドの平面図である。
【図３】本実施例に係る装飾用電気スタンドの周面部の平面展開図である。
【図４】従来の電気スタンドの正面図である。
【符号の説明】
１０    電気スタンド本体
１２    電球
１４    底部
１４ａホログラムシート
１６    周面部
【図１】
2004179020.tif 000003
【図２】
2004179020.tif 000004
【図３】
2004179020.tif 000005
【図４】
2004179020.tif 000006